(57)【要約】      （修正有）【課題】利用者の端末操作によらず自動的に緊急通報に関する情報を発信する自動通報システムを提供する。【解決手段】情報端末ｃｃ１にセットアップした情報システムが特定の無線ネットワーク・アクセスポイントａｐ−Ｓを検知すると、情報端末にセットアップした情報システムは自動的に測位システムｐｓから位置情報を取得する。情報端末は、直接通信を含むネットワーク上にあるサーバ・コンピュータｓｃまたは他の情報端末ｃｃ２のデータベースへ位置情報に情報端末を識別する情報を付記して格納する。情報端末ｃｃ２は、情報端末にセットアップした情報システムにより前記データベースに格納されたデータを取得し、前記位置情報と情報端末ｃｃ１を識別する情報をディスプレイ上に表示する。【選択図】図１
2019125327.tif 000002
【特許請求の範囲】
【請求項１】
情報端末から情報通信の方法において、情報端末にセットアップした組込みシステムまたはアプリケーションが特定の無線ネットワークのアクセスポイントの情報を検知したことを契機に、情報端末に組込みシステムまたはアプリケーションが測位システムにより情報端末の位置情報を取得し、前記位置情報と情報端末の識別情報を直接通信を含むネットワークを介してサーバ・コンピュータまたは他の情報端末のデータベースに格納するとともに、他の情報端末にセットアップした組込みシステムまたはアプリケーションが前記データベースに格納された情報を取得し、前記位置情報と情報端末の識別情報を他の情報端末のディスプレイに出力する一連のプロセスを含む情報システム。
【請求項２】
前記の情報システムの一連動作において、他の情報端末にセットアップした組込みシステムまたはアプリケーションが発信したインターネット等の広域ネットワークに接続されていない擬似的な無線ネットワークのアクセスポイントの情報を情報端末が検知することを契機とすることを可能とする情報システム。
【請求項３】
前記の情報システムにおいて、情報端末にセットアップした組込みシステムまたはアプリケーションが一定間隔で発信した時系列の前記位置情報と情報端末の識別情報をサーバ・コンピュータまたは他の情報端末のデータベースに時系列で格納し、他の情報端末にセットアップした組込みシステムまたはアプリケーションが前記データベースに格納された情報を取得し、複数の情報端末の位置情報と識別情報から、一定時間内において情報端末の位置が変化していない情報端末を抽出して他の情報端末のディスプレイに出力する一連のプロセスを含む情報システム。
【発明の詳細な説明】
【技術分野】
【０００１】本発明は、無線ネットワークのアクセスポイントの情報を利用し、コンピュータ等情報端末の処理を制御する技術に関する。
【背景技術】
【０００２】従来、情報端末を利用して他の情報端末へ緊急情報を発信する情報システムでは、利用者のなんらかの明示的な端末操作によるアクションを契機に、緊急通報に関する情報を発信することが可能である。
【先行技術文献】
【特許文献】
【０００３】
【特許文献１】特願２０１２−５５１０８３
【発明の概要】
【発明が解決しようとする課題】
【０００４】しかしながら、従来の技術では、利用者が情報端末を操作ができない状況下においては、利用者が端末にセットアップされたシステムを起動して操作することができず、緊急通報に関する情報を発信することができない。【０００５】そこで、本発明はこれらの点に鑑みてなされたものであり、特定の無線ネットワークのアクセスポイントの情報を情報端末が検知したことを契機に、利用者の端末操作によらず自動で緊急通報に関する情報を発信することを課題とする。
【課題を解決するための手段】
【０００６】本発明の自動通報システムは、情報端末が特定の無線ネットワークのアクセスポイントの情報を検知したことを契機に、情報端末にインストールされた組込みシステムまたはアプリケーションが自動で作動し、情報端末の位置座標を取得するとともに、取得した位置情報と情報端末を特定する情報とを緊急情報として他の情報端末に発信することを最も主要な特徴とする。【０００７】前記本発明の最も主要な特徴となる一連のプロセスにより他の情報端末が受信した緊急情報をもとに、他の情報端末上で受信した緊急情報と発信元の情報端末の位置情報を表示する特徴を有する。【０００８】前記本発明は、緊急情報を受信した情報端末において、情報を発信した情報端末の位置情報を時系列で追尾する機能と、その追尾情報を利用して追尾した情報端末の情報を切り替えて表示する機能を有する。【０００９】本発明は、情報端末から自動発信された緊急情報を情報端末の利用者またはその代理人により削除する機能を有する。【００１０】本発明は、無線ネットワークのアクセスポイントがない場所において、他の情報端末から擬似的に特定の無線ネットワークのアクセスポイントの情報を発信し、その情報を検知することを契機に、情報端末にインストールされたアプリケーションが自動作動し、情報端末の位置座標を取得するとともに、取得した位置情報と情報端末を特定する情報を緊急情報として他の情報端末に発信することを可能とする。
【発明の効果】
【００１１】本発明は、罹災者や遭難者等が情報端末を操作できない状況おいても、所持する情報端末が特定の無線ネットワークのアクセスポイントの情報を検知することにより、自動的に緊急情報とその位置情報を発信できること、また、発信された情報を取得する情報端末の利用により緊急情報を発信した情報端末の位置を追尾、把握できることが利点である。
【図面の簡単な説明】
【００１２】
【図１】自動通報システムの概要図である。
【図２】自動通報システムのシステム構成を示す図である。
【図３】情報端末の情報格納方法および表示方法を示す図である
【発明を実施するための形態】
【００１３】本発明は、特定の無線ネットワークのアクセスポイントの情報を情報端末が検知したことを契機に、利用者の端末操作によらず自動的に緊急通報に関する情報を発信する総合的なサービスを、コンピュータ・ネットワーク、コンピュータ機器、測位システムおよびアプリケーション・プログラミングの各技術を採用することにより実現する。
【００１４】図１は、前記本発明の概要図である。情報端末［ｃｃ１］にセットアップした情報システムが特定の無線ネットワーク・アクセスポイント［ａｐ−Ｓ］を検知すると、情報端末［ｃｃ１］にセットアップした情報システムは自動的に測位システム［ｐｓ］から位置情報を取得する。情報端末［ｃｃ１］は、直接通信を含むネットワーク上にあるサーバ・コンピュータ［ｓｃ］または他の情報端末［ｃｃ２］のデータベースへ前記位置情報に情報端末［ｃｃ１］を識別する情報を付記して格納する。情報端末［ｃｃ２］は、情報端末［ｃｃ２］にセットアップした情報システムにより前記データベースに格納されたデータを取得し、前記位置情報と情報端末［ｃｃ１］を識別する情報をディスプレイ上に表示する、前記一連のプロセスを含む情報システムである。前記位置情報と情報端末［ｃｃ１］を識別する情報は、一定間隔で時系列にデータベースに格納し、情報端末［ｃｃ１］をディスプレイ上に表示する情報端末［ｃｃ２］では、データベースに前記時系列で格納された情報端末［ｃｃ１］の前記位置情報により一定時間、位置が変化していない情報端末を抽出して表示することを可能とする。なお、前記情報システム起動の契機となる特定の無線ネットワーク・アクセスポイントについては、インターネット等の広域ネットワークに接続されていない擬似的な無線ネットワークのアクセスポイントである擬似無線ネットワーク・アクセスポイントの情報［ａｐ−Ｖ］の利用も可能とする。
【００１５】図２は、本発明である自動通報システムの構成を示す図である。自動通報システムは、無線ネットワークのアクセスポイントを利用してネットワークに接続して利用する実施形態と、擬似的に発信された無線ネットワークのアクセスポイントの情報を利用する実施形態を有する。なお、本明細書において「直接通信」とは、Ｂｌｕｅｔｏｏｔｈ（登録商標）やＷｉＦｉの無線チャネルを介して、他の装置を介することなくデータを情報端末間で送受信する方法のことをいい、通信にはブロードキャスト、マルチキャストおよびユニキャストの各方式を含むものとする。
【００１６】図２の「［Ａ］無線アクセスポイント利用時の構成」は、前記の無線ネットワークのアクセスポイントを利用してネットワークに接続して利用する実施形態の構成を示すものである。本実施形態においては、［ＡＦ１］、［ＡＦ２］、［ＡＦ３］、［ＡＦ４］および［ＡＦ５］の状態を経て本発明の「課題を解決するための手段」とする。緊急情報を発信する「［ｃｃ１］情報端末」には、特定の「［ａｐ−Ｓ］無線ネットワーク・アクセスポイント」を認識するために必要な組込みシステムまたはアプリケーションと制御用データをセットアップする。制御用データには、緊急情報の発信の契機となる１つ以上の「［ａｐ−Ｓ］無線ネットワーク・アクセスポイント」の情報を格納しておく。緊急情報を表示する「［ｃｃ２］情報端末」には、ネットワークを介して「［ｓｃ］サーバ・コンピュータ」に接続し、格納された「［ｃｃ１］情報端末」の位置情報と識別情報を表示するために必要なアプリケーションをセットアップしておく。
【００１７】［ＡＦ１］は、ネットワークを介して「［ｃｃ１］情報端末」にセットアップされた組込みシステムまたはアプリケーションが制御用データとしてセットアップされた「［ａｐ−Ｓ］無線ネットワーク・アクセスポイント」を認識した状態を表す。［ＡＦ２］は、［ＡＦ１］の状態に遷移した後、「［ｃｃ１］情報端末」にセットアップされた組込みシステムまたはアプリケーションが、「［ｃｃ１］情報端末」にセットアップされた測位システムに対して「［ｃｃ１］情報端末」の位置情報に必要な情報を問合せた状態を表す。［ＡＦ３］は、［ＡＦ２］の状態に遷移した後、「［ｃｃ１］情報端末」にセットアップされた組込みシステムまたはアプリケーションが「［ｃｃ１］情報端末」にセットアップされた測位システムから「［ｃｃ１］情報端末」の位置情報を取得した状態を表す。［ＡＦ４］は、［ＡＦ３］の状態に遷移した後、「［ｃｃ１］情報端末」にセットアップされた組込みシステムまたはアプリケーションが、測位システムから取得した「［ｃｃ１］情報端末」の位置情報と識別情報を「［ａｐ−Ｓ］無線ネットワーク・アクセスポイント」に接続し、ネットワーク上に配置したコンピュータ機器「［ｓｃ］サーバ・コンピュータ」に格納した状態を表す。［ＡＦ５］は、［ＡＦ４］の状態に遷移した後、「［ｃｃ２］情報端末」にセットアップしたアプリケーションによりネットワークを介して「［ｓｃ］サーバ・コンピュータ」に接続し、格納された「［ｃｃ１］情報端末」の位置情報と識別情報を表示する状態を表す。
【００１８】  「［ｃｃ１］情報端末」と「［ｃｃ２］情報端末」における位置情報と識別情報の通信については、［ＡＦ６］に示す両端末間の直接通信を利用してもよい。
【００１９】［ＡＦ４］の状態において、「［ｃｃ１］情報端末」から「［ｓｃ］サーバ・コンピュータ」への接続には、「［ａｐ−Ｓ］無線ネットワーク・アクセスポイント」以外の任意の無線ネットワークのアクセスポイントまたは任意の通信回線を利用してもよい。
【００２０】図２の「［Ｂ］無線アクセスポイント利用時の構成」は、前記の擬似的に発信された無線ネットワークのアクセスポイントの情報を利用する実施形態の構成を示すものである。本実施形態においては、［ＢＦ１］、［ＡＦ２］、［ＡＦ３］および［ＡＦ６］の状態を経て本発明の「課題を解決するための手段」とする。擬似的に発信された無線ネットワークのアクセスポイントとは、任意の情報端末から無線ネットワークのアクセスポイントまでは接続することが可能であるが、接続した無線ネットワークのアクセスポイントから先のネットワークへは接続ができない、または、接続した無線ネットワークのアクセスポイントから先のネットワークに接続されていない状態の利用形態のことである。擬似的な無線ネットワークのアクセスポイントの情報を発信する「［ｃｃ２］情報端末」には、擬似的な無線ネットワークのアクセスポイントの情報を発信するために必要な組込みシステムまたはアプリケーションと、擬似的な無線ネットワークのアクセスポイントを認識した「［ｃｃ１］情報端末」と「［ｃｃ２］情報端末」との機器間で直接通信を行うために必要な組込みシステムまたはアプリケーションをセットアップする。「［ｃｃ１］情報端末」には、緊急情報の発信の契機となる１つ以上の「［ａｐ−Ｖ］無線ネットワーク・アクセスポイント」の情報を格納しておく。緊急情報を発信する「［ｃｃ１］情報端末」には、特定の「［ａｐ−Ｖ］擬似無線ネットワーク・アクセスポイント」を認識するために必要な組込みシステムまたはアプリケーションと制御用データをセットアップする。制御用データには、緊急情報の発信の契機となる１つ以上の「［ａｐ−Ｖ］擬似無線ネットワーク・アクセスポイント」の情報を格納しておく。緊急情報を表示する「［ｃｃ２］情報端末」には、直接通信により発信された「［ｃｃ１］情報端末」の位置情報と識別情報を表示するために必要なアプリケーションをセットアップしておく。
【００２１】［ＢＦ１］は、「［ｃｃ２］情報端末」から発信された「［ａｐ−Ｖ］擬似無線ネットワーク・アクセスポイント」の情報を、「［ｃｃ１］情報端末」にセットアップされた組込みシステムまたはアプリケーションが制御用データとしてセットアップされた「［ａｐ−Ｖ］擬似無線ネットワーク・アクセスポイント」を認識した状態を表す。［ＡＦ２］は、［ＢＦ１］の状態に遷移した後、「［ｃｃ１］情報端末」にセットアップされた組込みシステムまたはアプリケーションが、「［ｃｃ１］情報端末」にセットアップされた測位システムに対して「［ｃｃ１］情報端末」の位置情報に必要な情報を問合せた状態を表す。［ＡＦ３］は、［ＡＦ２］の状態に遷移した後、「［ｃｃ１］情報端末」にセットアップされた組込みシステムまたはアプリケーションが「［ｃｃ１］情報端末」にセットアップされた測位システムから「［ｃｃ１］情報端末」の位置情報を取得した状態を表す。［ＡＦ６］は、［ＡＦ３］の状態に遷移した後、「［ｃｃ１］情報端末」にセットアップされた組込みシステムまたはアプリケーションが、測位システムから取得した「［ｃｃ１］情報端末」の位置情報と識別情報を直接通信により「［ｃｃ１］情報端末」へ発信した状態した状態を表す。［ＡＦ６］は、［ＡＦ３］の状態に遷移した後、「［ｃｃ２］情報端末」にセットアップしたアプリケーションの「［ＤＣ］直接通信を行う機能」により、直接通信により受信した「［ｃｃ１］情報端末」の位置情報と識別情報を表示する状態を表す。
【００２２】  「［ｃｃ２］情報端末」にセットアップしたアプリケーションの「［ＤＣ］直接通信を行う機能」により、直接通信により受信した「［ｃｃ１］情報端末」の位置情報と識別情報を表示する情報端末は「［ｃｃ２］情報端末」以外でもよい。
【００２３】本発明における前記の無線ネットワークのアクセスポイントを利用してネットワークに接続して利用する実施形態と、擬似的に発信された無線ネットワークのアクセスポイントの情報を利用する実施形態において、「［ｃｃ１］情報端末」の位置情報の取得については、衛星測位により取得した緯度経度のほか、任意のシステムにより測位したオフセットされた座標値を利用してもよい。
【００２４】図３の「［Ｃ］情報端末の情報格納方法」は、「［ｃｃ１］情報端末」の位置を時系列で追尾するために必要な「［ｃｃ１］情報端末」の位置情報と識別情報をデータベースに格納する実施形態の構成を示すものである。「［ｃｃ１］情報端末」には、「［ｓｃ］サーバ・コンピュータ」および「［ｃｃ２］情報端末」のデータベースにアクセスして、「［ｃｃ１］情報端末」の位置情報と識別情報をデータベースに格納するために必要な組込みシステムまたはアプリケーションをセットアップする。「［ｃｃ１］情報端末」の位置情報と識別情報を格納する「［ｓｃ］サーバ・コンピュータ」および「［ｃｃ２］情報端末」には、「［ｃｃ１］情報端末」の位置情報と識別情報を格納するデータベースをセットアップする。
【００２５】［ＣＦ１］は、前記本発明による一連のプロセスにより「［ｃｃ１］情報端末」の位置情報と識別情報をデータベースに格納するために必要な組込みシステムまたはアプリケーションが「［ｃｃ１］情報端末」の位置情報の識別情報をネットワーク上の「［ｓｃ］サーバ・コンピュータ」のデータベースに格納する状態を表す。［ＣＦ２］は、前記本発明による一連のプロセスにより「［ｃｃ１］情報端末」の位置情報と識別情報を直接通信により「［ｃｃ２］情報端末」のデータベースに格納する状態を表す。［ＣＦ３］は、「［ｃｃ１］情報端末」にセットアップされた組込みシステムまたはアプリケーションが測位システムの利用により一定間隔で「［ｃｃ１］情報端末」の位置情報を取得する状態を表す。［ＣＦ３］で取得した位置情報および「［ｃｃ１］情報端末」の識別情報は、［ＣＦ１］および［ＣＦ２］の方法により時系列の情報として「［ｓｃ］サーバ・コンピュータ」または「［ｃｃ１］情報端末」に逐次、格納する。
【００２６】図３の「［Ｄ］情報端末の表示方法」は、「［ｓｃ］サーバ・コンピュータ」および「［ｃｃ２］情報端末」のデータベースに格納された「［ｃｃ１］情報端末」の位置情報と識別情報を「［ｃｃ２］情報端末」に出力する実施形態の構成を示すものである。「［ｃｃ２］情報端末」には、「［ｓｃ］サーバ・コンピュータ」および「［ｃｃ２］情報端末」のデータベースにアクセスして、「［ｃｃ１］情報端末」の位置情報と識別情報をデータベースから取得して画面に出力するために必要な組込みシステムまたはアプリケーションをセットアップする。
【００２７】［ＦＤ１］は、「［ｃｃ２］情報端末」にセットアップされた組込みシステムまたはアプリケーションが前記本発明による一連のプロセスにより「［ｓｃ］サーバ・コンピュータ」のデータベースに格納された時系列の「［ｃｃ１］情報端末」の位置情報と識別情報を取得するための認証処理を行い「［ｓｃ］サーバ・コンピュータ」のデータベースにアクセスする状態を表す。［ＦＤ２］は、「［ｃｃ２］情報端末」にセットアップされた組込みシステムまたはアプリケーションが「［ｓｃ］サーバ・コンピュータ」のデータベースに格納された「［ｃｃ１］情報端末」の位置情報と識別情報を取得する状態を表す。［ＦＤ３］は、「［ｃｃ２］情報端末」にセットアップされた組込みシステムまたはアプリケーションが、「［ｓｃ］サーバ・コンピュータ」または「［ｃｃ１］情報端末」のデータベースから取得した「［ｃｃ１］情報端末」の位置情報と識別情報を「［ｃｃ２］情報端末」のディスプレイに出力する状態を表す。
【００２８】  「［ｃｃ２］情報端末」のディスプレイに出力する「［ｃｃ１］情報端末」の位置情報と識別情報は、「［ｃｃ１］情報端末」の位置情報を利用することにより［［ｃｃ２］情報端末」にダウンロードしたディジタル地図上に「［ｃｃ１］情報端末」の識別情報も付記してプロット表示してもよい。
【００２９】  「［ｃｃ２］情報端末」のディスプレイには、前記本発明による一連のプロセスにより取得した複数の情報端末の位置情報と識別情報を出力してもよい。
【００３０】  「［ｃｃ２］情報端末」に取得した一定間隔で取得した時系列の複数の情報端末の位置情報と識別情報から、一定時間内において情報端末の位置が変化していない情報端末を抽出して「［ｃｃ２］情報端末」のディスプレイに出力してもよい。
【符号の説明】
【００３１】ａｐ−Ｓ    無線ネットワーク・アクセスポイント
ｃｃ１    （位置情報を発信する）情報端末
ｃｃ２    （位置情報を取得する）情報端末
ｐｓ    測位システム
ｓｃ    サーバ・コンピュータ
ＡＦ１    特定の無線ネットワーク・アクセスポイントの検知処理
ＡＦ２    測位システムの接続処理
ＡＦ３    測位システムによる位置情報の取得処理
ＡＦ４    サーバ・コンピュータへの情報格納処理
ＡＦ５    サーバ・コンピュータからの情報取得処理
ＡＦ６    情報端末への情報格納処理
ＢＦ１    擬似無線ネットワーク・アクセスポイントの検知処理
ＣＦ１    サーバ・コンピュータへの情報格納処理
ＣＦ２    情報端末への情報格納処理
ＣＦ３    一定間隔での測位システムによる位置情報の取得処理
ＦＤ１    情報端末からのサーバ・コンピュータへの認証処理
ＦＤ２    情報端末への情報格納処理
ＦＤ３    取得した情報端末の情報出力処理
【図１】
2019125327.tif 000003
【図２】
2019125327.tif 000004
【図３】
2019125327.tif 000005